(57)【要約】【課題】  光ピックアップ装置から照射されるレーザー光にて光ディスクに記録されている信号の再生動作を行う光ディスク装置を提供する。【解決手段】  第１信号記録層に記録されている信号の再生動作を行うときコリメートレンズを第１信号記録層に記録されている信号の再生動作を行うために適した第１動作位置に変位させるとともに第２信号記録層に記録されている信号の再生動作を行うとき前記コリメートレンズを第２信号記録層に記録されている信号の再生動作を行うために適した第２動作位置に変位させるように構成し、コリメートレンズが各動作位置にあるとき、フォーカスエラー信号検出回路にて生成されるフォーカスエラー信号のレベルを検出することによってレーザー光が集光されている信号記録層が第１信号記録層であるか第２信号記録層であるかを識別する。【選択図】  図２
2009252335.tif 000002
【特許請求の範囲】
【請求項１】
レーザーダイオードと対物レンズとの間の光路内に設けられているコリメートレンズを光軸方向へ移動させることによって球面収差を補正するように構成された光ピックアップ装置にて光ディスクに設けられている第１及び第２の信号記録層に記録されている信号の再生動作を行うように構成された光ディスク装置の信号記録層識別方法であり、第１信号記録層に記録されている信号の再生動作を行うとき前記コリメートレンズを第１信号記録層に記録されている信号の再生動作を行うために適した第１動作位置に変位させるとともに第２信号記録層に記録されている信号の再生動作を行うとき前記コリメートレンズを第２信号記録層に記録されている信号の再生動作を行うために適した第２動作位置に変位させるように構成し、コリメートレンズが各動作位置にあるとき、フォーカスエラー信号検出回路にて生成されるフォーカスエラー信号のレベルを検出することによってレーザー光が集光されている信号記録層が第１信号記録層であるか第２信号記録層であるかを識別するようにしたことを特徴とする光ディスク装置の信号記録層識別方法。
【請求項２】
検出されるフォーカスエラー信号のレベルの大小によってレーザー光が集光されている信号記録層が第１信号記録層であるか第２信号記録層であるかを識別するようにしたことを特徴とする請求項１に記載の信号記録層識別方法。
【請求項３】
フォーカスエラー信号のレベルが大のとき、レーザー光が集光されている信号記録層をコリメートレンズが位置している動作位置に合致した信号記録層であると識別するようにしたことを特徴とする請求項２に記載の信号記録層識別方法。
【請求項４】
第１信号記録層または第２信号記録層に記録されている信号の再生動作を行っている状態より停止状態への切り換え動作を行い、再度再生動作状態への切り換え動作を行うとき、停止前の再生動作を行っていた信号記録層に対応した動作位置にコリメートレンズを固定した状態のままでフォーカス制御動作を行い、生成されたフォーカスエラー信号のレベルを検出することによってレーザー光が集光されている信号記録層が停止前の信号記録層であるか否かを識別するようにしたことを特徴とする請求項１に記載の信号記録層識別方法。
【請求項５】
レーザー光が集光された信号記録層が再生動作を開始させる信号記録層であり、且つ停止前の信号記録層であることが識別された場合には、コリメートレンズの位置を変更することなく再生動作を開始させるようにしたことを特徴とする請求項４に記載の信号記録層識別方法。
【請求項６】
レーザー光が集光された信号記録層が再生動作を開始させる信号記録層であり、且つ停止前の信号記録層と異なる信号記録層であることが識別された場合には、コリメートレンズの位置を他方の動作位置に変更させた後に再生動作を開始させるようにしたことを特徴とする請求項４に記載の信号記録層識別方法。
【発明の詳細な説明】
【技術分野】
【０００１】
本発明は、光ディスクに記録されている信号の再生動作や光ディスクへの信号の記録動作を光ピックアップ装置から照射されるレーザー光によって行うように構成された光ディスク装置に関し、特に信号記録層の識別方法に係る。
【背景技術】
【０００２】
光ピックアップ装置から照射されるレーザー光を光ディスクの信号記録層に照射することによって信号の再生動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の再生動作を行うレーザー光としては、波長が７８０ｎｍである赤外光が使用され、ＤＶＤ規格の光ディスクに記録されている信号の再生動作行うレーザー光としては、波長が６５０ｎｍの赤色光が使用されている。
【０００５】
斯かるＣＤ規格及びＤＶＤ規格の光ディスクに対して、Ｂｌｕ−ｒａｙ規格の光ディスクに記録されている信号の再生動作を行うレーザー光としては、波長が短いレーザー光、例えば波長が４０５ｎｍの青紫色光が使用されている。
【０００６】
Ｂｌｕ−ｒａｙ規格の光ディスクにおける信号記録層の上面に設けられている保護層の厚さは、０．１ｍｍであり、この信号記録層から信号の再生動作を行うために使用される対物レンズの開口数は、０．８５と設定されている。
【０００７】
また、このような記録密度の向上が図られた光ディスク規格に対応する光ピックアップ装置は、記録密度の向上に伴って信号の記録再生動作を行うために要求される光学特性も厳しくなっている。
【０００８】
光ディスクに設けられている信号記録層にレーザー光を集光させる動作は、対物レンズによって行われるが、光ディスクの信号記録層の上面に設けられている保護層の厚みの相違によって球面収差が発生するという特性がある。斯かる球面収差を補正する方法としてレーザーダイオードと対物レンズとの間の光路内に設けられたコリメートレンズを光軸方向に移動させる方法が多く採用されている。(特許文献１参照。)
また、光ディスクの中には、信号の記録容量を増大させるために複数、例えば第１の信号記録層と第２の信号記録層を備えた２層式の光ディスクが製造販売されている。斯かる２層式の光ディスクの各信号記録層に記録されている信号の再生動作を行う光ピックアップ装置では、信号記録層と光ディスクの表面との間に設けられている保護層の厚みが各信号記録層に対応した大きく変化するため、コリメートレンズを移動させて球面収差を補正するようにされている。
【０００９】
そして、２層式の光ディスクを使用することが出来るように構成された光ディスク装置では、使用される光ディスクが２層式の光ディスクであるか否かの識別動作を行う必要があり、フォーカスエラー信号を利用して光ディスクの種類を判別する技術が開発されている。(特許文献２参照。)
【特許文献１】特開２００３−１３２５７３号公報
【特許文献２】特開２００６−２６８９５８号公報
【発明の開示】
【発明が解決しようとする課題】
【００１０】
２層式の光ディスクを使用することが出来る光ディスク装置において、信号の再生動作を行う場合には、所望の信号記録層にレーザー光を集光させる必要があり、斯かる動作は対物レンズを光ディスクの面に対して垂直方向、即ちフォーカシング方向へ変位させることによって行われる。
【００１１】
信号記録層の検出動作は、対物レンズを光ディスクの表面から離れた位置に移動させた後、その位置から光ディスクの面に近づける方向へ移動させ、その間に得られるフォーカスエラー信号の変化を利用する方法が一般に行われている。
【００１２】
２層式の光ディスクを使用する場合には、各信号記録層と光ディスクの表面との間にある保護層の厚みが変化するので対物レンズの集光動作に対して球面収差が発生することになる。斯かる球面収差を補正するために２層式の光ディスクを使用することが出来るように構成された光ディスク装置では、使用する信号記録層に対応させて光ピックアップ装置に組み込まれているコリメートレンズを光軸方向へ移動させるという切り換え動作を行うように構成されている。
【００１３】
使用する信号記録層に対応させてコリメートレンズを光軸方向へ移動させる動作は、対物レンズの集光動作によってレーザー光を所望の信号記録層に最良の状態にて集光させる位置に移動させることによって行われる。斯かる構成の光ディスク装置において、一方の信号記録層に記録されている信号の再生動作を行った後に停止操作を行い、再度再生動作を開始させる場合には、対物レンズを光ディスクの面から離れた位置に移動させた後、その位置から光ディスクの面に近づける動作を行って信号記録層を認識する必要があるので、操作性が悪いという問題がある。
【００１４】
本発明は、斯かる問題を解決することが出来る光ディスク装置の信号記録層識別方法を提供しようとするものである。
【課題を解決するための手段】
【００１５】
本発明は、レーザーダイオードと対物レンズとの間の光路内に設けられているコリメートレンズを光軸方向へ移動させることによって球面収差を補正するように構成された光ピックアップ装置を使用する光ディスク装置において、第１信号記録層に記録されている信号の再生動作を行うとき前記コリメートレンズを第１信号記録層に記録されている信号の再生動作を行うために適した第１動作位置に変位させるとともに第２信号記録層に記録されている信号の再生動作を行うとき前記コリメートレンズを第２信号記録層に記録されている信号の再生動作を行うために適した第２動作位置に変位させるように構成し、コリメートレンズが各動作位置にあるとき、フォーカスエラー信号検出回路にて生成されるフォーカスエラー信号のレベルを検出することによってレーザー光が集光されている信号記録層が第１信号記録層であるか第２信号記録層であるかを識別するようにしたことを特徴とするものである。
【００１６】
また、本発明は、検出されるフォーカスエラー信号のレベルの大小によってレーザー光が集光されている信号記録層が第１信号記録層であるか第２信号記録層であるかを識別するようにしたことを特徴とするものである。
【００１７】
そして、本発明は、フォーカスエラー信号のレベルが大のとき、レーザー光が集光されている信号記録層をコリメートレンズが位置している動作位置に合致した信号記録層であ
ると識別するようにしたことを特徴とするものである。
【００１８】
また、本発明は、第１信号記録層または第２信号記録層に記録されている信号の再生動作を行っている状態より停止状態への切り換え動作を行い、再度再生動作状態への切り換え動作を行うとき、停止前の再生動作を行っていた信号記録層に対応した動作位置にコリメートレンズを固定した状態のままでフォーカス制御動作を行い、生成されたフォーカスエラー信号のレベルを検出することによってレーザー光が集光されている信号記録層が停止前の信号記録層であるか否かを識別するようにしたことを特徴とするものである。
【００１９】
そして、本発明は、レーザー光が集光された信号記録層が再生動作を開始させる信号記録層であり、且つ停止前の信号記録層であることが識別された場合には、コリメートレンズの位置を変更することなく再生動作を開始させるようにしたことを特徴とするものである。
【００２０】
また、本発明は、レーザー光が集光された信号記録層が再生動作を開始させる信号記録層であり、且つ停止前の信号記録層と異なる信号記録層であることが識別された場合には、コリメートレンズの位置を他方の動作位置に変更させた後に再生動作を開始させるようにしたことを特徴とするものである。
【発明の効果】
【００２１】
本発明の信号記録層識別方法は、レーザーダイオードと対物レンズとの間の光路内に設けられているコリメートレンズを光軸方向へ移動させることによって球面収差を補正するように構成された光ピックアップ装置にて光ディスクに設けられている第１及び第２の信号記録層に記録されている信号の再生動作を行うように構成された光ディスク装置において、第１信号記録層に記録されている信号の再生動作を行うとき前記コリメートレンズを第１信号記録層に記録されている信号の再生動作を行うために適した第１動作位置に変位させるとともに第２信号記録層に記録されている信号の再生動作を行うとき前記コリメートレンズを第２信号記録層に記録されている信号の再生動作を行うために適した第２動作位置に変位させるように構成し、コリメートレンズが各動作位置にあるとき、フォーカスエラー信号検出回路にて生成されるフォーカスエラー信号のレベルを検出することによってレーザー光が集光されている信号記録層が第１信号記録層であるか第２信号記録層であるかを識別するようにしたので、即ちフォーカスエラー信号のレベルによって集光されている信号記録層が第１信号記録層であるか第２信号記録層であるかを識別するようにしたので、簡単、且つ確実に所望の信号記録層を認識することが出来る。
【実施例】
【００２２】
図１は本発明に係る光ディスク装置に組み込まれる光ピックアップ装置の一実施例、図２は本発明の信号記録層識別方法を示すフローチャート、図３はフォーカスエラー信号の生成動作を説明するための図、図４は本発明に係るフォーカスエラー信号を説明するための波形図である。
【００２３】
図１において、１は例えば波長が４０５ｎｍの青紫色光であるレーザー光を前方に放射するレーザーダイオード、２は前記レーザーダイオード１から放射されるレーザー光が入射される回折格子であり、レーザー光を０次光であるメインビーム、＋１次光及び−１次光である２つのサブビームに分離する回折格子部２ａと入射されるレーザー光を例えばＳ方向の直線偏光光に変換する１／２波長板２ｂとより構成されている。
【００２４】
３は前記回折格子２を透過したレーザー光が入射される偏光ビームスプリッタであり、Ｓ偏光されたレーザー光の大部分を反射させるとともに一部を透過させ、且つＰ方向の直線偏光光に変換されたレーザー光を透過させる制御膜３ａが設けられている。
【００２５】
４は前記偏光ビームスプリッタ３の制御膜３ａにて反射されたレーザー光が入射される位置に設けられている１／４波長板であり、入射されるレーザー光を直線偏光光から円偏光光に、また反対に円偏光光から直線偏光光に変換する作用を成すものである。５は前記１／４波長板４を透過したレーザー光が入射されるとともに入射されるレーザー光を平行光に変換するコリメートレンズであり、収差補正用モーター６によって光軸方向、即ち矢印Ａ及びＢ方向へ変位せしめられるように構成されている。前記コリメートレンズ５の光軸方向への変位動作によって球面収差を補正するように構成されている。
【００２６】
７は前記コリメートレンズ５を透過したレーザー光が入射される位置に設けられている立ち上げ用ミラーであり、入射されるレーザー光を対物レンズ８の方向に反射させるように構成されている。９は前記偏光ビームスプリッタ３に設けられている制御膜３ａを透過したレーザー光が照射される位置に設けられているフロントモニター用光検出器であり、照射されるレーザー光のレベルに応じた信号をモニター信号として出力するように構成されている。
【００２７】
斯かる構成において、レーザーダイオード１から放射されたレーザー光は、回折格子２、偏光ビームスプリッタ３、１／４波長板４、コリメートレンズ５、立ち上げ用ミラー７を介して対物レンズ８に入射された後、該対物レンズ８の集光動作によって光ディスクＤに設けられている第１信号記録層Ｌ１または第２信号記録層Ｌ２にスポットとして照射されるが、該信号記録層Ｌ１またはＬ２に照射されたレーザー光は戻り光として反射されることになる。
【００２８】
尚、光ディスクＤがＢｌｕ−ｒａｙ規格の光ディスクの場合には、第１信号記録層Ｌ１と光ディスクＤの信号面Ｓとの間の寸法は０．０７５ｍｍ、第２信号記録層Ｌ２と光ディスクＤの信号面Ｓとの間の寸法は０．１ｍｍと規定されている。
【００２９】
光ディスクＤの信号記録層Ｌ１またはＬ２から反射された戻り光は、対物レンズ８、立ち上げ用ミラー７、コリメートレンズ５及び１／４波長板４を通して偏光ビームスプリッタ３の制御膜３ａに入射される。このようにして偏光ビームスプリッタ３の制御膜３ａに入射される戻り光は、１／４波長板４による位相変更動作によってＰ方向の直線偏光光に変換されているので、斯かる戻り光は前記制御膜３ａにて反射されることはなく、制御用レーザー光として透過することになる。
【００３０】
１０は前記偏光ビームスプリッタ３の制御膜３ａを透過した制御用レーザー光が入射されるセンサーレンズであり、ＰＤＩＣと呼ばれる光検出器１１に設けられている受光部に制御用レーザー光に非点収差を付加させて照射する作用を成すものである。前記光検出器１１には、周知の４分割センサー等が設けられており、メインビームの照射動作によって光ディスクＤの信号記録層Ｌ１またはＬ２に記録されている信号の読み取り動作に伴う信号生成動作及び非点収差法によるフォーカシング制御動作を行うための信号生成動作、そして２つのサブビームの照射動作によってトラッキング制御動作を行うための信号生成動作を行うように構成されている。斯かる各種の信号生成のための受光部の構成や制御動作は、周知であるので、その説明は省略する。
【００３１】
前述したように本発明に係る光ピックアップ装置の光学系は構成されているが、斯かる構成において、前記対物レンズ８は、光ピックアップ装置を構成する基台(図示せず)に４本または６本の支持ワイヤーによって光ディスクＤの信号面に対して垂直方向、即ちフォーカシング方向への変位動作及び光ディスクＤの径方向、即ちトラッキング方向への変位動作を可能に支持されているレンズ保持枠(図示せず)に固定されている。
【００３２】
１２は前記対物レンズ８が固定されているレンズ保持枠に設けられているフォーカシングコイルであり、基台に固定されている磁石(図示せず)との協働によって対物レンズ８をフォーカシング方向へ変位させる作用を有している。１３は前記対物レンズ８が固定されているレンズ保持枠に設けられているトラッキングコイルであり、基台に固定されている磁石(図示せず)との協働によって対物レンズ８をトラッキング方向へ変位させる作用を有している。
【００３３】
前述したフォーカシングコイル１２及びトラッキングコイル１３が組み込まれた光ピックアップ装置の構成及び各コイルの駆動動作によるフォーカシング制御動作及びトラッキング制御動作は周知であり、その説明は省略する。
【００３４】
１４は前記光検出器１１を構成するメインビームを受光するセンサーから光ディスクＤの信号記録層に記録されている信号の読み取り動作に対応して得られる信号であるＲＦ信号、メインビームを受光するセンサーからレーザー光の集光動作に応じて得られる信号であるフォーカスエラー信号及びサブビームを受光するセンサーからレーザー光のトラッキング動作に応じて得られる信号であるトラッキングエラー信号を生成する光検出信号生成回路である。
【００３５】
１５は前記フロントモニター用光検出器９から得られる信号が入力されるレーザー出力検出回路であり、入力される信号のレベルに応じた信号をモニター信号として出力するように構成されている。
【００３６】
１６は前記光検出信号生成回路１４及びレーザー出力検出回路１５等から出力される各種の信号が入力されるとともに各信号に基づいて光ピックアップ装置の各種の制御動作を行うピックアップ制御回路である。１７は前記光検出信号生成回路１４から生成出力されるフォーカスエラー信号に基づいて前記ピックアップ制御回路１６から出力されるフォーカス制御信号が入力されるフォーカシングコイル駆動回路であり、前記フォーカシングコイル１２に駆動信号を供給するように構成されている。１８は前記光検出信号生成回路１４から生成出力されるトラッキングエラー信号に基づいて前記ピックアップ制御回路１６から出力されるトラッキング制御信号が入力されるトラッキングコイル駆動回路であり、前記トラッキングコイル１３に駆動信号を供給するように構成されている。
【００３７】
１９は前記レーザーダイオード１に駆動信号を供給するレーザーダイオード駆動回路であり、前記レーザー出力検出回路１５から得られるモニター信号に基づいてピックアップ制御回路１６から出力される制御信号によってレーザー出力を調整するように構成されている。２０は前記収差補正用モーター６に駆動信号を供給することによって前記コリメートレンズ５を光軸方向へ変位させて球面収差を補正する収差補正用モーター駆動回路であり、前記ピックアップ制御回路１６によって制御されるように構成されている。
【００３８】
２１は後述する球面収差補正動作を行うための各種のデータが記憶されている収差補正データメモリー回路であり、前記ピックアップ制御回路１６によってデータの再生動作等が制御されるように構成されている。斯かる収差補正データメモリー回路２１から読み出されるデータに基づく制御信号がピックアップ制御回路１６から収差補正用モーター駆動回路２０に供給されるように構成されている。
【００３９】
前記収差補正用モーター駆動回路２０にピックアップ制御回路１６から制御信号が供給されると、該収差補正用モーター駆動回路２０から収差補正用モーター６に対して駆動信号が供給される。前記収差補正用モーター６は前記収差補正用モーター駆動回路２０から供給される駆動信号によって回転駆動され、コリメートレンズ５を第１信号記録層Ｌ１に記録されている信号を再生するために適した第１動作位置と第２信号記録層Ｌ２に記録さ
れている信号を再生するために適した第２動作位置に移動させるように構成されている。
【００４０】
前述した第１動作位置とは、対物レンズ８によってレーザー光を第１信号記録層Ｌ１に集光させる動作を行う場合に球面収差を無くする位置であり、第２動作位置とは対物レンズ８によってレーザー光を第２信号記録層Ｌ２に集光させる動作を行う場合に球面収差を無くする位置である。斯かるコリメートレンズ５を第１信号記録層Ｌ１及び第２信号記録層Ｌ２に記録されている信号の再生動作を行うために適した位置である第１動作位置及び第２動作位置を設定するための動作は、コリメートレンズ５の位置を段階的に移動させながら第１信号記録層Ｌ１及び第２信号記録層Ｌ２に記録されている信号を再生し、その再生信号から得られるジッタ値が最も小さくなる位置やＲＦ信号のレベルが最大となる位置を検出することによって行うことが出来る。斯かる設定動作を行って得られた第１動作位置及び第２動作位置に関するデータが収差データメモリー回路２１に記憶されることになる。
【００４１】
尚、コリメートレンズ５を移動させるために設けられている収差補正用モーター６としてステッピングモーターを使用すれば、パルスの数によって回転量を正確に設定することが出来るので、該コリメートレンズ５の移動位置を細かく制御することが出来るという利点がある。
【００４２】
以上に説明したように本発明に係る光ピックアップ装置は構成されているが、次に動作について説明する。
【００４３】
光ディスクＤに設けられている第１信号記録層Ｌ１に記録されている信号の再生動作を行うための操作を行うと、ピックアップ制御回路１６から光ピックアップ装置を構成する各回路へ駆動制御信号が供給されることになる。レーザーダイオード駆動回路１９からレーザーダイオード１に対して信号の再生動作を正確に行うために前もって設定されているレーザー出力を得ることが出来る駆動信号が供給され、該レーザーダイオード１から所望の出力のレーザー光が放射されることになる。
【００４４】
前記レーザーダイオード１から放射されたレーザー光は回折格子２に入射され、該回折格子２に組み込まれている回折格子部２ａによってメインビームとサブビームに分離されるとともに１／２波長板２ｂによってＳ方向の直線偏光光に変換される。前記回折格子２を透過したレーザー光は偏光ビームスプリッタ３に入射され、該偏光ビームスプリッタ３に設けられている制御膜３ａによって大部分のレーザー光が反射されるとともに一部のレーザー光が透過せしめられる。
【００４５】
前記偏光ビームスプリッタ３に設けられている制御膜３ａにて反射されたレーザー光は１／４波長板４に入射されて直線偏光光から円偏光光に変換された後にコリメートレンズ５に入射される。前記コリメートレンズ５に入射されたレーザー光は平行光に変換されて立ち上げ用ミラー７に入射される。
【００４６】
このようにしてコリメートレンズ５を通してレーザー光が立ち上げ用ミラー７に入射されるが、斯かる場合にはコリメートレンズ５は収差補正用モーター６の回転動作によって第１信号記録層Ｌ１に記録されている信号の再生動作を行うために適した第１動作位置に変位せしめられた状態にある。
【００４７】
前記立ち上げ用ミラー７に入射されたレーザー光は、該立ち上げ用ミラー７によって対物レンズ８の方向に反射される。前記立ち上げ用ミラー７によって反射されたレーザー光は、前記対物レンズ８に入射されるので、該対物レンズ８による集光動作が行われることになる。
【００４８】
前記対物レンズ８による第１信号記録層Ｌ１へのレーザー光の集光動作は、例えば対物レンズ８を光ディスクＤから離れた位置から近づける動作を行うことによって行われる。斯かる対物レンズ８の変位動作はフォーカシングコイル駆動回路１７からフォーカシングコイル１２に駆動信号を供給することによって行われるが、第１信号記録層Ｌ１への集光動作が行われると、該第１信号記録層Ｌ１から反射されるレーザー光が戻り光として対物レンズ８に対して光ディスクＤ側から入射されることになる。
【００４９】
前記対物レンズ８に入射された戻り光は、立ち上げ用ミラー７、コリメートレンズ５及び１／４波長板４を介して偏光ビームスプリッタ３に設けられている制御膜３ａに入射される。前記制御膜３ａに入射された戻り光は１／４波長板４によってＰ方向の直線偏光光に変換されているので、該制御膜３ａにて反射されることはなく全てが制御用レーザー光として透過することになる。
【００５０】
前記制御膜３ａを透過した戻り光である制御用レーザー光は、センサーレンズ１０に入射された後、該センサーレンズ１０によって非点収差が付加されて光検出器１１に設けられているセンサー部に照射される。斯かる制御用レーザー光が光検出器１１に照射される結果、該光検出器１１に組み込まれている４分割センサー等からメインビーム及びサブビームの照射スポットの位置及び形状変化に基づく検出信号を得ることが出来る。
【００５１】
斯かる状態にあるとき、光検出器１１から得られる検出信号に基づいて光検出信号生成回路１４から生成されるフォーカスエラー信号及びトラッキングエラー信号がピックアップ制御回路１６に入力される。斯かるフォーカスエラー信号及びトラッキングエラー信号がピックアップ制御回路１６に入力されると、各エラー信号に基づく制御信号がフォーカシングコイル駆動回路１７及びトラッキングコイル駆動回路１８に対して出力される。その結果、フォーカシングコイル駆動回路１７からフォーカシングコイル１２に対して制御信号が供給されるので、該フォーカシングコイル１２による対物レンズ８のフォーカシング方向への変位動作が行われレーザー光を第１信号記録層Ｌ１に集光させるフォーカシング制御動作を行うことが出来る。また、トラッキングコイル駆動回路１８からトラッキングコイル１３に対して制御信号が供給されるので、該トラッキングコイル１３による対物レンズ８のトラッキング方向への変位動作が行われレーザー光を第１信号記録層Ｌ１に設けられている信号トラックに追従させるトラッキング制御動作を行うことが出来る。
【００５２】
前述したように光ピックアップ装置におけるフォーカシング制御動作及びトラッキング制御動作が行われるので、光ディスクＤの第１信号記録層Ｌ１に記録されている信号の再生動作を行うことが出来る。斯かる再生動作にて得られる再生信号は、光検出信号生成回路１４から生成されるＲＦ信号を周知のように復調することによって情報データとして得ることが出来る。
【００５３】
前述したように光ディスクＤに設けられている第１信号記録層Ｌ１に記録されている信号の再生動作は行われるが、斯かる再生動作を行う状態にあるとき、コリメートレンズ５は、収差補正用モーター駆動回路２０から収差補正用モーター６に供給される駆動信号によって第１信号記録層Ｌ１に対する球面収差を補正する第１動作位置に移動されているため第１信号記録層Ｌ１に記録されている信号の再生動作を最適な状態にて行うことが出来る。
【００５４】
また、前述した信号の再生動作が行われているとき、レーザーダイオード駆動回路１９からレーザーダイオード１に対して所望のレーザー出力を得ることが出来る駆動信号が供給された状態にあるとともにフロントモニター用光検出器９から得られる信号に基づいてレーザー出力検出回路１５から出力されるモニター信号がピックアップ制御回路１６に入
力された状態にある。
【００５５】
このようにピックアップ制御回路１６にレーザー出力検出回路１５から出力されるモニター信号が入力されると、そのモニター信号のレベルに基づく制御信号がピックアップ制御回路１６からレーザーダイオード駆動回路１９に供給されることになる。従って、斯かるピックアップ制御回路１６からレーザーダイオード駆動回路１９に対して供給される駆動信号のレベルが所定の値になるように制御するように構成すれば、レーザーダイオード１から放射されるレーザー光の出力を所望のレベルになるように自動的に制御することが出来る。斯かる動作は、レーザーの自動出力制御動作と呼ばれているものであり、その説明は省略する。
【００５６】
前述したように第１信号記録層Ｌ１に記録されている信号の再生動作を行うための操作を行うと、レーザーダイオード１から放射されるレーザー光が回折格子２、偏光ビームスプリッタ３、１／４波長板４、コリメートレンズ５及び立ち上げ用ミラー７にて形成される光路を通して対物レンズ８に入射され、該対物レンズ８の集光動作によって光ディスクＤの第１信号記録層Ｌ１に所望のスポットとして照射されることになるので、該第１信号記録層Ｌ１に記録されている信号の再生動作を行うことが出来る。
【００５７】
前述したように第１信号記録層Ｌ１に記録されている信号の再生動作を行う場合の動作は行われるが、第２信号記録層Ｌ２に記録されている信号の再生動作について説明する。斯かる操作を行うとコリメートレンズ５を第２動作位置に移動させる動作を行うとともに対物レンズ８による集光動作を第２信号記録層Ｌ２に対して行うための制御動作が行われることになる。第２信号記録層Ｌ２に記録されている信号を再生するための光ピックアップ装置に対する制御動作は前述した第１信号記録層Ｌ１に記録されている信号の再生動作と同様に行われるので、その説明は省略する。
【００５８】
以上に説明したように第１信号記録層Ｌ１及び第２信号記録層Ｌ２に記録されている信号の再生動作は行われるが、次に本発明の要旨である信号記録層の識別方法について説明する。
【００５９】
まず、光検出器１１に設けられている４分割センサーを利用した非点収差法によるフォーカスエラー信号の生成動作について、図３を参照にして説明する。同図において、Ｐは光検出器１１内に設けられている受光部であり、４つに分割されたセンサー部Ａ、Ｂ、Ｃ及びＤにて構成されている。
【００６０】
２２は前記受光部Ｐを構成するセンサー部Ａ及びセンサー部Ｃから得られる信号を加算する第１加算回路、２３は前記受光部Ｐを構成するセンサー部Ｂ及びセンサー部Ｄから得られる信号を加算する第２加算回路、２４は前記第１加算回路２２の出力から第２加算回路２３の出力を減算する減算回路であり、該減算回路２４の出力端子２５に出力される信号がフォーカスエラー信号ＦＥである。
【００６１】
即ち、非点収差法にて利用されるフォーカスエラー信号ＦＥは、ＦＥ＝（Ａ＋Ｃ）−（Ｂ＋Ｄ）として得ることが出来るので、図３に示す回路にてフォーカスエラー信号ＦＥを生成することが出来ることになる。
【００６２】
図４は対物レンズ８を光ディスクＤの信号面Ｓから離れた位置から近づく方向へ変位させた場合に得られるフォーカスエラー信号ＦＥの信号波形図であり、一般にはＳ字波形と呼ばれている。
【００６３】
次に本発明の信号記録層識別方法について、図２に示すフローチャート及び図４に示す
波形図を参照にして説明するが、レーザーダイオード１に対する駆動動作等については、省略している。
【００６４】
まず、第１信号記録層Ｌ１に記録されている信号の再生動作を行うために該第１信号記録層Ｌ１を識別するための動作について説明する。第１信号記録層Ｌ１に記録されている信号を再生するための切り換え動作を行う(ステップＡ)。斯かる切り換え動作が行われると、コリメートレンズ５を第１信号記録層Ｌ１にレーザー光を集光させるために適した位置である第１動作位置に移動させる動作を行う(ステップＢ)。
【００６５】
コリメートレンズ５の第１動作位置への移動動作が終了すると、対物レンズ８をフォーカシング方向へ移動させてフォーカス制御動作を行う(ステップＣ)。斯かるフォーカス制御動作によってフォーカスが取れたか否か、即ち信号記録層に対する集光動作が行われたか否かの判定を行う(ステップＤ)。
【００６６】
ステップＤにてフォーカスが取れたと判定されると、その間に得られたフォーカスエラー信号のレベルＦの検出動作が行われる(ステップＥ)。このようにしてフォーカスエラー信号のレベルＦの検出動作が行われるが、コリメートレンズ５の位置と得られるフォーカスエラー信号ＦＥのレベルＦとの関係について説明する。
【００６７】
図４に示す波形図は、コリメートレンズ５を第１信号記録層Ｌ１に適した第１動作位置に移動固定した状態において、対物レンズ８を光ディスクＤから離れた位置から信号面Ｓ方向に変位させた場合に得られるフォーカスエラー信号ＦＥのレベル変化を示すものであり、レベルＦがＦ１で示すＳ字波形Ｓ１が第１信号記録層Ｌ１から得られるフォーカスエラー信号であり、Ｆ２で示すＳ字波形Ｓ２が第２信号記録層Ｌ２から得られるフォーカスエラー信号である。
【００６８】
同図より明らかなようにコリメートレンズ５が第１動作位置にある場合には、第１信号記録層Ｌ１から得られるフォーカスエラー信号ＦＥのレベルＦは、第２信号記録層Ｌ２から得られるフォーカスエラー信号ＦＥのレベルＦより大きくなる。従って、フォーカスエラー信号ＦＥのレベルＦの大小を判定することによって第１信号記録層Ｌ１か第２信号記録層Ｌ２であるかを認識することが出来る。
【００６９】
第１信号記録層Ｌ１から得られるフォーカスエラー信号ＦＥのレベルＦ１と第２信号記録層Ｌ２から得られるフォーカスエラー信号ＦＥのレベルＦ２とは３倍程度相違することが確認されており、判定レベルＫはそのレベル差を考慮して設定される。
【００７０】
ステップＥにてフォーカスエラー信号のレベルＦが検出されると、Ｆ＞Ｋであるか否かの判定動作が行われる(ステップＦ)。ステップＦにてＦ＞Ｋであると判定されると、得られたフォーカスエラー信号Ｆは第１信号記録層Ｌ１から得られるフォーカスエラー信号であるため、対物レンズ８による集光動作が行われている信号記録層は第１信号記録層Ｌ１であると判定する(ステップＧ)。ステップＦにてＦ＞Ｋではないと判定されると、得られたフォーカスエラー信号Ｆは第２信号記録層Ｌ２から得られるフォーカスエラー信号であるため、対物レンズ８による集光動作が行われている信号記録層は第２信号記録層Ｌ２であると判定する(ステップＨ)。
【００７１】
ステップＧにて第１信号記録層Ｌ１であると判定された場合には、前述した光ピックアップ装置に対する制御動作を行うことによって第１信号記録層Ｌ１に記録されている信号の再生動作を開始させることが出来る。また、ステップＨにて第２信号記録層Ｌ２であると判定された場合には、収差補正用モーター駆動回路２０から収差補正用モーター６に対して駆動信号を供給し、該収差補正用モーター６の回転駆動動作によってコリメートレン
ズ５を第２動作位置に移動させれば、第２信号記録層Ｌ２に記録されている信号の再生動作を開始させることが出来る。
【００７２】
図２のフローチャート及び図４に示した波形図にて説明した信号記録層の識別動作は、第１信号記録層Ｌ１に記録されている信号の再生動作を行う場合を想定しているので、コリメートレンズ５を第１動作位置に移動させた状態にてフォーカスエラー信号ＦＥのレベルＦの検出動作を行うようにしたが、第２信号記録層Ｌ２に記録されている信号の再生動作を行う場合を想定した信号記録層の識別動作は、コリメートレンズ５を第２動作位置に移動させた状態にて行われる。
【００７３】
コリメートレンズ５を第２動作位置に移動固定した状態にてフォーカスエラー信号ＦＥの検出動作を行うと、即ち対物レンズ８を光ディスクＤから離れた位置から近づく方向へ変位させると、Ｓ字波形Ｓ１及びＳ字波形Ｓ２の順番にフォーカスエラー信号のＳ字波形が得られるが、フォーカスエラー信号ＦＥのレベルＦは、レベルＦ１に対してレベルＦ２の方が反対に３倍程度大きくなる。
【００７４】
従って、斯かる場合には、フォーカスエラー信号ＦＥのレベルＦがＫより大きい場合には、第２信号記録層Ｌ２であると判定され、レベルＦがＫより小さい場合には第１信号記録層Ｌ１であると判定されることになる。
【００７５】
このように本発明の信号記録層識別方法は、コリメートレンズ５が第１動作位置にあるときに大きいレベルのフォーカスエラー信号が検出された場合には、その集光動作が行われている信号記録層は、コリメートレンズ５の第１動作位置に対応した第１信号記録層Ｌ１であると識別され、コリメートレンズ５が第２動作位置にあるときに大きいレベルのフォーカスエラー信号が検出された場合には、その集光動作が行われている信号記録層は、コリメートレンズ５の第２動作位置に対応した第２信号記録層Ｌ２であると識別されることになる。
【００７６】
従って、本発明によれば、コリメートレンズ５を第１動作位置または第２動作位置に移動させた状態において、フォーカスエラー信号のレベルの大小を検出することによって信号記録層が第１信号記録層Ｌ１であるか第２信号記録層Ｌ２であるかを簡単に、且つ速やかに識別することが出来る。
【００７７】
以上に説明したように本発明の信号記録層識別方法によれば、容易に信号記録層の識別を行うことが出来るので、例えば第１信号記録層Ｌ１に記録されている信号の再生動作を行っている状態において、一旦停止状態への切り換えを行い、その後再度再生動作を開始させる場合には、コリメートレンズ５を第１動作位置に保持させた状態にてフォーカス制御動作を行えば、得られたフォーカスエラー信号のレベルを検出することによって信号記録層が第１信号記録層Ｌ１であるか第２信号記録層Ｌ２であるかを速やかに識別することが出来る。従って、信号記録層が第１信号記録層Ｌ１であるか第２信号記録層Ｌ２であるかを直ちに検出することが出来ることになり、所望の信号記録層に対する再生動作を速やかに再開させることが出来る。
【００７８】
尚、本実施例では、信号記録層が２つ設けられている２層式の光ディスクについて説明したが、３層以上の信号記録層が設けられた光ディスクにて実施することは勿論可能である。また、本実施例において、光ピックアップ装置の制御動作はピックアップ制御回路１６によって行うようにしたが、斯かるピックアップ制御回路１６に対する制御動作やフォーカスエラー信号のレベル検出動作及び判定動作等は、光ディスク装置に組み込まれているマイクロコンピューター(図示せず)にて行われることは説明するまでもない。
【図面の簡単な説明】
【００７９】
【図１】本発明に係る光ディスク装置に組み込まれる光ピックアップ装置の一実施例を示す図である。
【図２】本発明の信号記録層識別方法を示すフローチャートである。
【図３】フォーカスエラー信号の生成動作を説明するための図である。
【図４】本発明に係るフォーカスエラー信号を説明するための波形図である。
【符号の説明】
【００８０】
１      レーザーダイオード
３      偏光ビームスプリッタ
５      コリメートレンズ
６      収差補正用モーター
８      対物レンズ
１１    光検出器
１４    光検出信号生成回路
１６    ピックアップ制御回路
１９    レーザーダイオード駆動回路
２０    収差補正用モーター駆動回路
２１    収差補正データメモリー回路
【図１】
2009252335.tif 000003
【図２】
2009252335.tif 000004
【図３】
2009252335.tif 000005
【図４】
2009252335.tif 000006